(57)【要約】【課題】  ダイバシティハンドオーバ状態において移動機にとってＨＳ−ＳＣＣＨの送信電力値を最適に保ち、ＨＳＤＰＡ通信の品質向上を図ることが可能な移動通信システムを提供する。【解決手段】  付随個別チャネル処理部２１は移動機と無線基地局との間でＨＳＤＰＡ通信時に確立される付随個別チャネルの変復調・符号化・復号化処理を実施する。Ｉｕｂフレームプロトコル処理部２２はＲＮＣと無線基地局との間で送受信されるＩｕｂフレームプロトコルを処理している。選択回路２５はダイバシティハンドオーバ中か否かに応じて“ＨＳ−ＳＣＣＨパワーオフセット１”と“ＨＳ−ＳＣＣＨパワーオフセット２”とのいずれか選択する。加算器２６は付随個別チャネル下り送信電力情報２０１とＨＳ−ＳＣＣＨパワーオフセット２０２とを加算し、ＨＳ−ＳＣＣＨの下り送信電力値を決定する。【選択図】      図２                                                  
2005277612.tif 000002
【特許請求の範囲】
【請求項１】
移動機がハンドオーバ時に同一の無線基地局及び異なる無線基地局との通信を同時に行うダイバシティハンドオーバを行うチャネルと、前記ダイバシティハンドオーバを行わないチャネルとを同時に使用する移動通信システムであって、
無線基地局制御装置から前記ダイバシティハンドオーバの状態であることが通知された時に前記ダイバシティハンドオーバを行わないチャネルの送信電力値にある一定のオフセット値を加算する手段を前記無線基地局に有することを特徴とする移動通信システム。
【請求項２】
移動機がハンドオーバ時に同一の無線基地局及び異なる無線基地局との通信を同時に行うダイバシティハンドオーバを行うチャネルと、前記ダイバシティハンドオーバを行わないチャネルとを同時に使用するＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信方式の移動通信システムであって、
前記ダイバシティハンドオーバの状態と非ダイバシティハンドオーバの状態とにおいてＨＳ−ＳＣＣＨ［Ｓｈａｒｅｄ  Ｃｏｎｔｒｏｌ  ＣＨａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｅｄ  ＣＨａｎｎｅｌ）］の付随個別チャネルからパワーオフセット値を個別に設定する設定手段を前記無線基地局に有することを特徴とする移動通信システム。
【請求項３】
前記設定手段は、無線基地局制御装置から前記ダイバシティハンドオーバの状態であることが通知された時に前記ＨＳ−ＳＣＣＨの送信電力値にある一定のオフセット値を加算することを特徴とする請求項２記載の移動通信システム。
【請求項４】
前記無線基地局制御装置は、前記移動機からのハンドオーバ実施要求を受けてハンドオーバブランチの追加を決定すると、移動先である無線基地局に対してハンドオーバ設定指示を行うと同時に、移動元の無線基地局と移動先の無線基地局とに対してハンドオーバ状態設定指示を行い、前記移動機との間で前記ダイバシティハンドオーバが実施中であることを前記無線基地局に対して通知することを特徴とする請求項３記載の移動通信システム。
【請求項５】
前記ハンドオーバ状態設定指示を検出する手段を前記無線基地局に含み、
前記無線基地局は、前記ハンドオーバ状態設定指示を検出した時に前記ＨＳ−ＳＣＣＨの送信電力値に前記ダイバシティハンドオーバの状態に対応して予め設定されたオフセット値を加算することを特徴とする請求項４記載の移動通信システム。
【請求項６】
前記無線基地局は、前記ダイバシティハンドオーバの状態であることが通知されない時に前記非ダイバシティハンドオーバの状態に対応して予め設定された第１のオフセット値を加算し、前記ダイバシティハンドオーバの状態であることが通知された時に前記ダイバシティハンドオーバの状態に対応して予め設定された第２のオフセット値を加算することを特徴とする請求項１から請求項５のいずれか記載の移動通信システム。
【請求項７】
移動機がハンドオーバ時に同一の無線基地局及び異なる無線基地局との通信を同時に行うダイバシティハンドオーバを行うチャネルと、前記ダイバシティハンドオーバを行わないチャネルとを同時に使用する移動通信システムに用いられる無線基地局であって、無線基地局制御装置から前記ダイバシティハンドオーバの状態であることが通知された時に前記ダイバシティハンドオーバを行わないチャネルの送信電力値にある一定のオフセット値を加算する手段を有することを特徴とする無線基地局。
【請求項８】
移動機がハンドオーバ時に同一の無線基地局及び異なる無線基地局との通信を同時に行うダイバシティハンドオーバを行うチャネルと、前記ダイバシティハンドオーバを行わないチャネルとを同時に使用するＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信方式の移動通信システムに用いられる無線基地局であって、前記ダイバシティハンドオーバの状態と非ダイバシティハンドオーバの状態とにおいてＨＳ−ＳＣＣＨ［Ｓｈａｒｅｄ  Ｃｏｎｔｒｏｌ  ＣＨａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｅｄ  ＣＨａｎｎｅｌ）］の付随個別チャネルからパワーオフセット値を個別に設定する設定手段を有することを特徴とする無線基地局。
【請求項９】
前記設定手段は、無線基地局制御装置から前記ダイバシティハンドオーバの状態であることが通知された時に前記ＨＳ−ＳＣＣＨの送信電力値にある一定のオフセット値を加算することを特徴とする請求項８記載の無線基地局。
【請求項１０】
前記無線基地局制御装置からのハンドオーバ状態設定指示を検出する手段を含み、前記ハンドオーバ状態設定指示を検出した時に前記ＨＳ−ＳＣＣＨの送信電力値に前記ダイバシティハンドオーバの状態に対応して予め設定されたオフセット値を加算することを特徴とする請求項９記載の無線基地局。
【請求項１１】
前記ダイバシティハンドオーバの状態であることが通知されない時に前記非ダイバシティハンドオーバの状態に対応して予め設定された第１のオフセット値を加算し、前記ダイバシティハンドオーバの状態であることが通知された時に前記ダイバシティハンドオーバの状態に対応して予め設定された第２のオフセット値を加算することを特徴とする請求項６から請求項１０のいずれか記載の無線基地局。
【請求項１２】
移動機がハンドオーバ時に同一の無線基地局及び異なる無線基地局との通信を同時に行うダイバシティハンドオーバを行うチャネルと、前記ダイバシティハンドオーバを行わないチャネルとを同時に使用する移動通信システムの送信電力制御方法であって、前記無線基地局が、無線基地局制御装置から前記ダイバシティハンドオーバの状態であることが通知された時に前記ダイバシティハンドオーバを行わないチャネルの送信電力値にある一定のオフセット値を加算することを特徴とする送信電力制御方法。
【請求項１３】
移動機がハンドオーバ時に同一の無線基地局及び異なる無線基地局との通信を同時に行うダイバシティハンドオーバを行うチャネルと、前記ダイバシティハンドオーバを行わないチャネルとを同時に使用するＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信方式の移動通信システムの送信電力制御方法であって、前記無線基地局が、前記ダイバシティハンドオーバの状態と非ダイバシティハンドオーバの状態とにおいてＨＳ−ＳＣＣＨ［Ｓｈａｒｅｄ  Ｃｏｎｔｒｏｌ  ＣＨａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｅｄ  ＣＨａｎｎｅｌ）］の付随個別チャネルからパワーオフセット値を個別に設定することを特徴とする送信電力制御方法。
【請求項１４】
前記無線基地局は、前記パワーオフセット値を個別に設定する際に、無線基地局制御装置から前記ダイバシティハンドオーバの状態であることが通知された時に前記ＨＳ−ＳＣＣＨの送信電力値にある一定のオフセット値を加算することを特徴とする請求項１３記載の送信電力制御方法。
【請求項１５】
前記無線基地局制御装置は、前記移動機からのハンドオーバ実施要求を受けてハンドオーバブランチの追加を決定すると、移動先である無線基地局に対してハンドオーバ設定指示を行うと同時に、移動元の無線基地局と移動先の無線基地局とに対してハンドオーバ状態設定指示を行い、前記移動機との間で前記ダイバシティハンドオーバが実施中であることを前記無線基地局に対して通知することを特徴とする請求項１４記載の送信電力制御方法。
【請求項１６】
前記無線基地局は、前記ハンドオーバ状態設定指示を検出した時に前記ＨＳ−ＳＣＣＨの送信電力値に前記ダイバシティハンドオーバの状態に対応して予め設定されたオフセット値を加算することを特徴とする請求項１５記載の送信電力制御方法。
【請求項１７】
前記無線基地局は、前記ダイバシティハンドオーバの状態であることが通知されない時に前記非ダイバシティハンドオーバの状態に対応して予め設定された第１のオフセット値を加算し、前記ダイバシティハンドオーバの状態であることが通知された時に前記ダイバシティハンドオーバの状態に対応して予め設定された第２のオフセット値を加算することを特徴とする請求項１２から請求項１６のいずれか記載の送信電力制御方法。
【発明の詳細な説明】
【技術分野】
【０００１】
本発明は移動通信システム、無線基地局及びそれらに用いる送信電力制御方法に関し、特にＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信方式における送信電力制御方法に関する。
【背景技術】
【０００２】
ＨＳＤＰＡ通信方式において、移動機と無線基地局との間には、複数のユーザによって共有される通信チャネルであるＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  ＣＨａｎｎｅｌ）と、各送信タイミング毎の選択された移動機番号・符号化率・変調方式等を通知する制御チャネルであるＨＳ−ＳＣＣＨ［Ｓｈａｒｅｄ  Ｃｏｎｔｒｏｌ  ＣＨａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｅｄ  ＣＨａｎｎｅｌ）］の共通チャネルと、各移動機と無線基地局との間で確立される付随個別チャネルの物理チャネルとが確立されている（例えば、特許文献１参照）。
【０００３】
ここで、ＨＳ−ＳＣＣＨの下り送信電力は、該当移動機と無線基地局との間の下り付随個別チャネルの瞬時電力値にある一定のオフセットを加算した値を採用している。このオフセット値は、呼毎に無線基地局に対して上位制御装置である無線基地局制御装置から設定される。
【０００４】
Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式の個別チャネルにおいては、ハンドオーバ時に同一無線基地局、異なる無線基地局のセルとの通信を同時に行うダイバシティハンドオーバを実施している。
【０００５】
この時、各セルからの下り個別チャネルの送信電力値は、移動機から無線基地局に対して送信される送信電力制御ビットにより、１ｄＢ上げる、もしくは下げるという制御によって変更される。ここで、下り個別チャネル電力は、移動機にとって最適な受信品質を提供するセルに対して最適化され、他のセルも、同一の下り送信電力値となる。
【０００６】
一方、ＨＳＤＰＡ通信方式においては、移動機と無線基地局との間でダイバシティハンドオーバを行わず、常に移動機と無線基地局との間は単一のセルを介して通信が行われている。すなわち、ＨＳＤＰＡ通信方式において、ハンドオーバが行われる際、通信チャネルであるＨＳ−ＰＤＳＣＨ及び制御チャネルであるＨＳ−ＳＣＣＨは単一セルとのみ通信が行われ、さらに付随個別チャネルは、複数セルとダイバシティハンドオーバが行われている。
【０００７】
【特許文献１】特開２００２−３６８２３５号公報
【発明の開示】
【発明が解決しようとする課題】
【０００８】
ここで、ＨＳＤＰＡ用制御チャネルであるＨＳ−ＳＣＣＨの下り送信電力値は、付随個別チャネルの電力値にオフセット値を加算したものであるが、ＨＳＤＰＡ通信を行っているセルと、移動機にとっての最適受信セルとが不一致の場合には、ＨＳ−ＳＣＣＨの下り送信電力値が移動機にとって所要品質を満たすことができず、ＨＳＤＰＡ通信が正常に行えなくなるという問題がある。
【０００９】
そこで、本発明の目的は上記の問題点を解消し、ダイバシティハンドオーバ状態において移動機にとってＨＳ−ＳＣＣＨの送信電力値を最適に保つことができ、ＨＳＤＰＡ通信の品質向上を図ることができる移動通信システム、無線基地局及びそれらに用いる送信電力制御方法を提供することにある。
【課題を解決するための手段】
【００１０】
本発明による移動通信システムは、移動機がハンドオーバ時に同一の無線基地局及び異なる無線基地局との通信を同時に行うダイバシティハンドオーバを行うチャネルと、前記ダイバシティハンドオーバを行わないチャネルとを同時に使用する移動通信システムであって、
無線基地局制御装置から前記ダイバシティハンドオーバの状態であることが通知された時に前記ダイバシティハンドオーバを行わないチャネルの送信電力値にある一定のオフセット値を加算する手段を前記無線基地局に備えている。
【００１１】
本発明による他の移動通信システムは、移動機がハンドオーバ時に同一の無線基地局及び異なる無線基地局との通信を同時に行うダイバシティハンドオーバを行うチャネルと、前記ダイバシティハンドオーバを行わないチャネルとを同時に使用するＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信方式の移動通信システムであって、
前記ダイバシティハンドオーバの状態と非ダイバシティハンドオーバの状態とにおいてＨＳ−ＳＣＣＨ［Ｓｈａｒｅｄ  Ｃｏｎｔｒｏｌ  ＣＨａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｅｄ  ＣＨａｎｎｅｌ）］の付随個別チャネルからパワーオフセット値を個別に設定する設定手段を前記無線基地局に備えている。
【００１２】
本発明による無線基地局は、移動機がハンドオーバ時に同一の無線基地局及び異なる無線基地局との通信を同時に行うダイバシティハンドオーバを行うチャネルと、前記ダイバシティハンドオーバを行わないチャネルとを同時に使用する移動通信システムに用いられる無線基地局であって、無線基地局制御装置から前記ダイバシティハンドオーバの状態であることが通知された時に前記ダイバシティハンドオーバを行わないチャネルの送信電力値にある一定のオフセット値を加算する手段を備えている。
【００１３】
本発明による他の無線基地局は、移動機がハンドオーバ時に同一の無線基地局及び異なる無線基地局との通信を同時に行うダイバシティハンドオーバを行うチャネルと、前記ダイバシティハンドオーバを行わないチャネルとを同時に使用するＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信方式の移動通信システムに用いられる無線基地局であって、前記ダイバシティハンドオーバの状態と非ダイバシティハンドオーバの状態とにおいてＨＳ−ＳＣＣＨ［Ｓｈａｒｅｄ  Ｃｏｎｔｒｏｌ  ＣＨａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｅｄ  ＣＨａｎｎｅｌ）］の付随個別チャネルからパワーオフセット値を個別に設定する設定手段を備えている。
【００１４】
本発明による送信電力制御方法は、移動機がハンドオーバ時に同一の無線基地局及び異なる無線基地局との通信を同時に行うダイバシティハンドオーバを行うチャネルと、前記ダイバシティハンドオーバを行わないチャネルとを同時に使用する移動通信システムの送信電力制御方法であって、前記無線基地局が、無線基地局制御装置から前記ダイバシティハンドオーバの状態であることが通知された時に前記ダイバシティハンドオーバを行わないチャネルの送信電力値にある一定のオフセット値を加算している。
【００１５】
本発明による他の送信電力制御方法は、移動機がハンドオーバ時に同一の無線基地局及び異なる無線基地局との通信を同時に行うダイバシティハンドオーバを行うチャネルと、前記ダイバシティハンドオーバを行わないチャネルとを同時に使用するＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信方式の移動通信システムの送信電力制御方法であって、前記無線基地局が、前記ダイバシティハンドオーバの状態と非ダイバシティハンドオーバの状態とにおいてＨＳ−ＳＣＣＨ［Ｓｈａｒｅｄ  Ｃｏｎｔｒｏｌ  ＣＨａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｅｄ  ＣＨａｎｎｅｌ）］の付随個別チャネルからパワーオフセット値を個別に設定している。
【００１６】
すなわち、本発明の移動通信システムは、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信にてハンドオーバを行う際に、ダイバシティハンドオーバ状態であることを無線基地局制御装置から無線基地局に通知することによって、無線基地局にてＨＳ−ＳＣＣＨ［Ｓｈａｒｅｄ  Ｃｏｎｔｒｏｌ  ＣＨａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｅｄ  ＣＨａｎｎｅｌ）：ＨＳＤＰＡ用制御チャネル］の送信電力値にある一定のオフセット値を加算し、当該移動機にＨＳ−ＳＣＣＨが確実に到達するようにしている。
【００１７】
より具体的に説明すると、本発明の移動通信システムでは、ＲＮＣ（Ｒａｄｉｏ  Ｎｅｔｗｏｒｋ  Ｃｏｎｔｒｏｌｌｅｒ：無線基地局制御装置）が移動機からのハンドオーバ実施要求を受け、ハンドオーバブランチの追加を決定すると、移動先である無線基地局（ＮｏｄｅＢ）＃２に対してハンドオーバ設定指示を行うと同時に、移動元の無線基地局＃１と移動先の無線基地局＃２とに対して、ハンドオーバ状態設定指示を行うことによって、移動機との間でダイバシティハンドオーバが実施中であることをそれぞれの無線基地局に対して通知する。
【００１８】
ここで、引き続き、ＨＳＤＰＡ通信を実施する無線基地局＃１においては、上記のハンドオーバ状態設定指示をＩｕｂフレームプロトコル処理部にて検出し、予め設定された“ＨＳ−ＳＣＣＨパワーオフセット（Ｐｏｗｅｒ  Ｏｆｆｓｅｔ）２”を選択回路にて出力することによって、ＨＳ−ＳＣＣＨの送信電力を決定する。
【００１９】
以上の動作によって、本発明の移動通信システムでは、ダイバシティハンドオーバ中のＨＳ−ＳＣＣＨの送信電力値を適正値に保つことが可能となり、ＨＳＤＰＡ通信の品質・スループットの劣化を防ぐことが可能となる。
【００２０】
ＨＳＤＰＡ通信を行っている呼がダイバシティハンドオーバ状態となった時には、ＲＮＣからダイバシティハンドオーバブランチを構成する無線基地局＃１，＃２に対して、ハンドオーバ状態設定指示を通知する。そして、ダイバシティハンドオーバを実施中の無線基地局（ブランチ中の１個）においては、ＲＮＣからＩｕｂフレームプロトコルにて設定されるハンドオーバ状態設定指示をＩｕｂフレームプロトコル処理部にて検出し、予め設定されている“ＨＳ−ＳＣＣＨパワーオフセット２”を選択回路にてＨＳ−ＳＣＣＨパワーオフセット値として選択し、付随個別チャネルの下り送信電力値と加算部にて加算することによって、ＨＳ−ＳＣＣＨの送信電力を決定する。
【００２１】
これによって、本発明の移動通信システムでは、ダイバシティハンドオーバ状態と非ダイバシティハンドオーバ状態とでＨＳ−ＳＣＣＨの付随個別チャネルからのパワーオフセット値を個別に設定することが可能となるため、ダイバシティハンドオーバ状態において移動機にとってＨＳ−ＳＣＣＨの送信電力値を最適に保つことが可能となり、ＨＳＤＰＡ通信の品質向上、具体的には再送等の削減によるスループット向上を図ることが可能となる。
【発明の効果】
【００２２】
本発明は、以下に述べるような構成及び動作とすることで、ダイバシティハンドオーバ状態において移動機にとってＨＳ−ＳＣＣＨの送信電力値を最適に保つことができ、ＨＳＤＰＡ通信の品質向上を図ることができるという効果が得られる。
【発明を実施するための最良の形態】
【００２３】
次に、本発明の実施例について図面を参照して説明する。図１は本発明の一実施例による移動通信システムの構成を示すブロック図である。図１において、本発明の一実施例による移動通信システムは、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信を行う移動通信無線ネットワークを表している。
【００２４】
本発明の一実施例による移動通信システムは、ＲＮＣ（Ｒａｄｉｏ  Ｎｅｔｗｏｒｋ  Ｃｏｎｔｒｏｌｌｅｒ：無線基地局制御装置）１と、無線基地局（ＮｏｄｅＢ）（＃１，＃２）２，３と、ＨＳＤＰＡ通信を行う移動機（ＵＥ：Ｕｓｅｒ  Ｅｑｕｉｐｍｅｎｔ）４とから構成されている。
【００２５】
移動機４がＨＳＤＰＡ通信中で、かつ無線基地局（＃１）２のエリアから無線基地局（＃２）３のエリアに移行する場合、移動機４と無線ネットワークとの間はダイバシティハンドオーバが行われる。
【００２６】
この時の無線基地局と移動機との間には、ＨＳＤＰＡ通信チャネル（ＨＳ−ＰＤＳＣＨ：Ｈｉｇｈ  Ｓｐｅｅｄ  Ｐｈｙｓｉｃａｌ  Ｄｏｗｎｌｉｎｋ  Ｓｈａｒｅｄ  ＣＨａｎｎｅｌ）１０４［無線基地局（＃１）２→移動機４］、ＨＳＤＰＡ制御チャネル［ＨＳ−ＳＣＣＨ：ＨＳ−ＳＣＣＨ：Ｓｈａｒｅｄ  Ｃｏｎｔｒｏｌ  ＣＨａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｅｄ  ＣＨａｎｎｅｌ）］１０３［無線基地局（＃１）２→移動機４］、付随個別チャネル（ＤＰＣＨ：Ｄｅｄｉｃａｔｅｄ  Ｐｈｙｓｉｃａｌ  ＣＨａｎｎｅｌ）１０１，１０２［無線基地局（＃１）２、無線基地局（＃２）３←→移動機４］という無線チャネルが確立されている。
【００２７】
ここで、ハンドオーバ中は、付随個別チャネル１０１，１０２のみがダイバシティハンドオーバを行い、ＨＳＤＰＡ通信・制御チャネルに関してはダイバシティハンドオーバは行われない。
【００２８】
図２は図１の無線基地局（＃１）２及び無線基地局（＃２）３におけるＨＳ−ＳＣＣＨ送信電力決定部の構成を示すブロック図である。図２において、ＨＳ−ＳＣＣＨ送信電力決定部は付随個別チャネル処理部２１と、Ｉｕｂフレームプロトコル処理部２２と、ＨＳ−ＳＣＣＨパワーオフセット（Ｐｏｗｅｒ  Ｏｆｆｓｅｔ）１保持部２３と、ＨＳ−ＳＣＣＨパワーオフセット２保持部２４と、選択回路２５と、加算器２６とから構成されている。
【００２９】
付随個別チャネル処理部２１は移動機４と無線基地局（＃１）２及び無線基地局（＃２）３との間でＨＳＤＰＡ通信時に確立される付随個別チャネルの変復調・符号化・復号化処理を実施している。付随個別チャネル処理部２１からは加算器２６に対して付随個別チャネル下り送信電力情報２０１がスロット毎に通知されている。
【００３０】
Ｉｕｂフレームプロトコル処理部２２はＲＮＣ１と無線基地局（＃１）２及び無線基地局（＃２）３との間で送受信されるＩｕｂフレームプロトコルを処理している。ここで、Ｉｕｂフレームプロトコル処理部２２ではＲＮＣ１から通知されるハンドオーバ状態設定指示を受信した場合、選択回路２５に対して“ＨＳ−ＳＣＣＨパワーオフセット２”を出力するように指示を行う。
【００３１】
ＨＳ−ＳＣＣＨパワーオフセット１保持部２３はダイバシティハンドオーバ中でない場合の“ＨＳ−ＳＣＣＨパワーオフセット１”を保持し、ＨＳ−ＳＣＣＨパワーオフセット２保持部２４はダイバシティハンドオーバ中の“ＨＳ−ＳＣＣＨパワーオフセット２”を保持している。これら、２種類のパワーオフセット値は、予めＲＮＣ１もしくは別の保守手順から無線基地局（＃１）２及び無線基地局（＃２）３に対して設定されている。
【００３２】
選択回路２５ではダイバシティハンドオーバ中か否かに応じてＨＳ−ＳＣＣＨパワーオフセット値を選択し、加算器２６に対してＨＳ−ＳＣＣＨパワーオフセット２０２を通知する。加算器２６では付随個別チャネル処理部２１から通知された付随個別チャネル下り送信電力情報２０１と選択回路２５から通知されたＨＳ−ＳＣＣＨパワーオフセット２０２とを加算することによって、ＨＳ−ＳＣＣＨの下り送信電力値を決定する。
【００３３】
図３はＩｕｂフレームプロトコルの内容を表す図である。図３において、ＩｕｂフレームではＭｕｌｔｉｐｌｅ  ＲＬ  Ｓｅｔｓ  Ｉｎｄｉｃａｔｏｒ部にて、ダイバシティハンドオーバ実施中か否かをＲＮＣ１から無線基地局（＃１）２及び無線基地局（＃２）３に対して通知する。
【００３４】
図４は本発明の一実施例による移動通信システムの動作を示すシーケンスチャートである。図４はＨＳＤＰＡ通信を行っている移動機４がハンドオーバを行う際のシーケンスを表している。
【００３５】
ＲＮＣ１は移動機４からのハンドオーバ要求を受け、処理部（図示せず）にてダイバシティハンドオーバブランチの追加を決定すると（図４のａ１）、移動先の無線基地局（＃２）３に対して、ハンドオーバ設定指示を通知する（図４のａ２）。
【００３６】
同時に、ＲＮＣ１は移動元の無線基地局（＃１）２と移動先の無線基地局（＃２）３に対して、ハンドオーバ状態設定指示を通知する（図４のａ３，ａ４）。その後、ダイバシティハンドオーバ状態にて通信が継続される。
【００３７】
ＲＮＣ１は移動機４からのハンドオーバブランチ削除要求を受け、処理部にてダイバシティハンドオーバブランチ削除を決定すると（図４のａ５）、移動元の無線基地局（＃１）２に対して、ハンドオーバ削除指示を通知し（図４のａ６）、さらに移動先の無線基地局（＃２）３に対して、ハンドオーバ状態設定指示によって、ダイバシティハンドオーバ状態が終了したことを通知する（図４のａ７）。
【００３８】
図５はＨＳ−ＳＣＣＨの電力制御状態を示す図である。図５（ａ）はダイバシティハンドオーバ状態における電力制御状態を示しており、図５（ｂ）は非ダイバシティハンドオーバ状態における電力制御状態を示している。これら図１〜図５を参照して本発明の一実施例による移動通信システムの動作について説明する。
【００３９】
ＨＳＤＰＡ通信中の移動機４が無線基地局（＃１）２のエリアから無線基地局（＃２）のエリアに移動する場合、移動機４からのハンドオーバ実施要求を受けたＲＮＣ１は処理部にてダイバシティハンドオーバブランチの追加を決定する（図４のａ１）。
【００４０】
ＲＮＣ１は移動先の無線基地局（＃２）３に対してハンドオーバ設定指示を通知し（図４のａ２）、ダイバシティハンドオーバにて通信が行われる。その際、ＲＮＣ１はダイバシティハンドオーバブランチを構成する無線基地局（＃１）２及び無線基地局（＃２）３それぞれに対して、ハンドオーバ状態設定指示をＩｕｂフレームプロトコルにて通知する（図４のａ３，ａ４）。
【００４１】
実際のＩｕｂフレームプロトコルのフォーマットは図３に示しており、図中の“Ｍｕｌｔｉｐｌｅ  ＲＬ  Ｓｅｔｓ  Ｉｎｄｉｃａｔｏｒ”部にて、ダイバシティハンドオーバ中であることがＲＮＣ１から無線基地局（＃１）２及び無線基地局（＃２）３に対して通知される。
【００４２】
図２には、ＨＳＤＰＡ用の制御チャネルであるＨＳ−ＳＣＣＨの送信電力を決定する方法を示している。まず、ダイバシティハンドオーバ中でない場合の動作に関して説明する。
【００４３】
ＨＳＤＰＡ通信においては、無線基地局（＃１）２と移動機４との間に付随個別チャネルが確立されている。これは、図１にて示される無線基地局（＃１）２と移動機４との間の無線信号１０１に相当する。
【００４４】
該付随個別チャネルは付随個別チャネル処理部２１において、無線変復調・送信電力制御・符復号化処理等が行われ、また、ＲＮＣ１とのＩｕｂフレーム処理はＩｕｂフレームプロトコル処理部２２において行われている。
【００４５】
ここで、ＨＳ−ＳＣＣＨの送信電力値は、付随個別チャネル処理部２１から出力される付随個別チャネル下り送信電力情報２０１と、ＨＳ−ＳＣＣＨパワーオフセット１保持部２３からの“ＨＳ−ＳＣＣＨパワーオフセット１“とを加算器２６において加算した電力値として求められる。
【００４６】
この時、選択回路２５は非ダイバシティハンドオーバ状態であるため、ＨＳ−ＳＣＣＨパワーオフセット２０２として“ＨＳ−ＳＣＣＨパワーオフセット１”を出力している。
【００４７】
一方、ダイバシティハンドオーバ状態となる場合には、ＲＮＣ１から通知されたハンドオーバ状態設定指示がＩｕｂフレームプロトコル処理部２２において検出され、その結果が選択回路２５に対して反映される。選択回路２５では、本設定指示によって、ＨＳ−ＳＣＣＨパワーオフセット２０２として“ＨＳ−ＳＣＣＨパワーオフセット２”を選択するように動作する。その結果として、加算器２６からの出力は付随個別チャネル下り送信電力値に“ＨＳ−ＳＣＣＨパワーオフセット２”を加算したものとなる。
【００４８】
ここで、“ＨＳ−ＳＣＣＨパワーオフセット１”は非ダイバシティハンドオーバ状態でのＨＳ−ＳＣＣＨパワーオフセット値であり、“ＨＳ−ＳＣＣＨ  Ｐｏｗｅｒ  Ｏｆｆｓｅｔ２”はダイバシティハンドオーバ状態でのＨＳ−ＳＣＣＨパワーオフセット値である。これらの値は、ＲＮＣ１から、もしくは他の保守手段によって、予め無線基地局（＃１）２及び無線基地局（＃２）３に対して設定されている。
【００４９】
移動機４の移動に伴って、ダイバシティハンドオーバ状態が終了する場合には、図４において、移動機４からのダイバシティハンドオーバブランチ削除要求を受けたＲＮＣ１は、処理部において、ダイバシティハンドオーバブランチの削除を決定する（図４のａ５）。
【００５０】
ＲＮＣ１は移動元の無線基地局（＃１）２に対してハンドオーバ削除指示を通知するとともに（図４のａ６）、無線基地局（＃２）３に対してダイバシティハンドオーバ状態が終了したことをハンドオーバ状態設定指示にて通知する（図４のａ７）。このメッセージはＩｕｂフレームプロトコル上にて通知されている。
【００５１】
無線基地局（＃２）３においては、Ｉｕｂフレームプロトコル処理部２２にてダイバシティハンドオーバが終了したことを検出し、選択回路２５が“ＨＳ−ＳＣＣＨパワーオフセット１”をＨＳ−ＳＣＣＨパワーオフセット２０２として出力する。結果として、加算器２６からの出力は、付随個別チャネル下り送信電力値に“ＨＳ−ＳＣＣＨパワーオフセット１”を加算したものとなる。
【００５２】
以上の動作によって、図５に示すように、ダイバシティハンドオーバ状態においては、ＨＳ−ＳＣＣＨの送信電力値が付随個別チャネルの下り送信電力値に“ＨＳ−ＳＣＣＨパワーオフセット２”を加算したものとなり［図５（ａ）参照］、一方、非ダイバシティハンドオーバ状態においては、ＨＳ−ＳＣＣＨの送信電力値が付随個別チャネルの下り送信電力値に“ＨＳ−ＳＣＣＨパワーオフセット１”を加算したものとなる［図５（ｂ）参照］。
【００５３】
このように、本実施例では、ダイバシティハンドオーバ状態と非ダイバシティハンドオーバ状態とでＨＳ−ＳＣＣＨの付随個別チャネルからのパワーオフセット値を個別に設定することができるため、ダイバシティハンドオーバ状態において移動機４にとってＨＳ−ＳＣＣＨの送信電力値を最適に保つことができ、ＨＳＤＰＡ通信の品質向上、具体的には再送等の削減によるスループット向上を図ることができる。
【００５４】
尚、上記の説明において、ＲＮＣ１から無線基地局（＃１）２及び無線基地局（＃２）３に対して設定されるハンドオーバ状態設定指示は、必ずしもＩｕｂフレームプロトコルで通知する必要性はなく、別の手段（ＲＮＣ１と無線基地局（＃１）２及び無線基地局（＃２）３との間のレイヤ３プロトコル）にて通知することも可能である。
【００５５】
また、本発明は、必ずしもＨＳＤＰＡ通信方式における制御チャネルの送信電力制御方式にのみ使用されるわけではなく、ダイバシティハンドオーバを行うチャネルと、ダイバシティハンドオーバを行わないチャネルとを同時に使用する通信方式において、ダイバシティハンドオーバを行わないチャネルの送信電力制御にも適用可能である。
【図面の簡単な説明】
【００５６】
【図１】本発明の一実施例による移動通信システムの構成を示すブロック図である。
【図２】図１の無線基地局におけるＨＳ−ＳＣＣＨ送信電力決定部の構成を示すブロック図である。
【図３】Ｉｕｂフレームプロトコルの内容を表す図である。
【図４】本発明の一実施例による移動通信システムの動作を示すシーケンスチャートである。
【図５】（ａ）はダイバシティハンドオーバ状態における電力制御状態を示す図、（ｂ）は非ダイバシティハンドオーバ状態における電力制御状態を示す図である。
【符号の説明】
【００５７】
１  ＲＮＣ
２  無線基地局（＃１）
３  無線基地局（＃２）
４  移動機
２１  付随個別チャネル処理部
２２  Ｉｕｂフレームプロトコル処理部
２３  ＨＳ−ＳＣＣＨパワーオフセット１保持部
２４  ＨＳ−ＳＣＣＨパワーオフセット２保持部
２５  選択回路
２６  加算器
１０１，１０２  付随個別チャネル
１０３  ＨＳＤＰＡ制御チャネル
１０４  ＨＳＤＰＡ通信チャネル
２０１  付随個別チャネル下り送信電力情報
２０２  ＨＳ−ＳＣＣＨパワーオフセット
【図１】
2005277612.tif 000003
【図２】
2005277612.tif 000004
【図３】
2005277612.tif 000005
【図４】
2005277612.tif 000006
【図５】
2005277612.tif 000007